(57)【要約】【課題】室内の天井からファンによって風を送り出す送風装置において、天井面が汚れることの低減を目的とする。【解決手段】照明部６は、羽根部５の側方を囲むように配置され、モータ部４が第１の方向に回転すると羽根部５は上方へ送風し、取付カバー３は、円板形状である取付板部分１０を有し、取付板部分１０の中心軸は、照明部６の中心軸と同軸上に配置され、取付板部分１０の外径は、照明部６の内径より大きいという構成にしたことにより、羽根部がファンを第１の方向に回転（羽根部を下方から見て時計回りに回転）させると、羽根部から送風される空気が、取付板部分に最初に当たり易くなり、天井が汚れることを低減する送風装置を得られる。【選択図】図２
2020105953.tif 000002
【特許請求の範囲】
【請求項１】
天井面に吊り下げるように取り付けられる固定カバーと、
前記固定カバーに取り付けられる取付カバーと、
前記取付カバーに固定され回転軸が下方に延びたモータ部と、
前記回転軸に着脱自在な羽根部と、
前記取付カバーに吊り下げられた円環形状の照明部とを備え、
前記照明部は、前記羽根部の側方を囲むように配置され、
前記モータ部が第１の方向に回転すると前記羽根部は上方へ送風し、
前記取付カバーは、円板形状である取付板部分を有し、
前記取付板部分の中心軸は、前記照明部の中心軸と同軸上に配置され、
前記取付板部分の外径は、前記照明部の内径より大きいことを特徴とする送風装置。
【請求項２】
前記取付カバーは、前記取付板部分の周縁から上方に延びる円筒形状の取付フランジ部分を有し、
前記固定カバーは、円板形状である固定板部分と、前記固定板部分の周縁から下方に延びる円筒形状の固定フランジ部分とを有し、
前記固定フランジ部分は、前記取付フランジ部分に嵌り、
前記取付カバーは前記固定カバーに仮止め部によって仮止めされ、
前記仮止め部は、前記固定フランジ部分と前記取付フランジ部分に設けられ、
前記仮止め部は、作業者が、前記照明部の外縁と天井との間から前記仮止め部を見ながら、前記取付カバーの前記取付フランジ部分を前記固定カバーの前記固定フランジ部分の外面に嵌め、前記取付カバーを前記固定カバーに仮止めできる位置に配置されていることを特徴とする請求項１に記載の送風装置。
【請求項３】
前記仮止め部は、前記固定フランジ部分と前記取付フランジ部分に設けられ、
前記固定フランジ部分に仮止めされたねじを前記取付フランジ部分に設けられたスリットに通すことによって仮止めすることを特徴とする請求項２に記載の送風装置。
【請求項４】
前記取付カバーは、前記取付板部分の周縁から上方に延びる円筒形状の取付フランジ部分を有し、
前記固定カバーは、円板形状である固定板部分と、前記固定板部分の周縁から下方に延びる円筒形状の固定フランジ部分とを有し、
前記固定フランジ部分は、前記取付フランジ部分に嵌り、
前記取付カバーは前記固定カバーに取付部によって固定され、
前記取付部は、前記固定フランジ部分と前記取付フランジ部分に配置されたことを特徴とする請求項１から３のいずれかに記載の送風装置。
【請求項５】
前記取付部は、前記取付フランジ部分に設けた孔と、
前記固定フランジ部分に設けたねじ孔と、
前記孔を介して前記ねじ孔にねじ止め可能なねじとを有することを特徴とする請求項４に記載の送風装置。
【請求項６】
前記取付カバーは、前記取付カバーの周縁から下方に延びた複数の連結部材を有し、
複数の前記連結部材は、前記照明部の外周縁に接続されることを特徴とする請求項１から５のいずれかに記載の送風装置。
【請求項７】
複数の前記連結部材は、前記取付カバーの周縁から鉛直方向に延びることを特徴とする請求項６に記載の送風装置。
【発明の詳細な説明】
【技術分野】
【０００１】
本発明は、室内の天井面に設置して空気循環を行う送風装置に関するものである。
【背景技術】
【０００２】
従来、この種の送風装置は、室内の天井面に設置して空気の循環を行い使用者に快適さを提供し、なおかつ室内を照明するものが知られている（例えば、特許文献１参照）。
【０００３】
この送風装置は、モータとモータを保持するベースと装着フレームを備えて、装着フレームにベースを取り付け、モータにつけられた羽根を回転させることにより室内に風を供給している。また、照明部は連結部材によってベースと連結され、天井からの電源供給によって照明を行っている。
【先行技術文献】
【特許文献】
【０００４】
【特許文献１】実用新案登録第３２１４０３１号公報
【発明の概要】
【発明が解決しようとする課題】
【０００５】
このような従来の送風装置においては、装着フレームが照明部の内径より小さい構成となっていたのでファンを第１の方向に回転（羽根部を下方から見て時計回りに回転）させ、空気が羽根部の下方から上方へ流れる際に吸い込んだ風が天井を汚してしまうという課題を有していた。
【０００６】
そこで本発明は、上記従来の課題を解決するものであり、天井が汚れることを低減することができる送風装置を提供することを目的とする。
【課題を解決するための手段】
【０００７】
そして、この目的を達成するために、本発明に係る送風装置は、天井面に吊り下げるように取り付けられる固定カバーと、前記固定カバーに取り付けられる取付カバーと、前記取付カバーに固定され回転軸が下方に延びたモータ部と、前記回転軸に着脱自在な羽根部と、前記取付カバーに吊り下げられた円環形状の照明部とを備え、前記照明部は、前記羽根部の側方を囲むように配置され、前記モータ部が第１の方向に回転すると前記羽根部は上方へ送風し、前記取付カバーは、円板形状である取付板部分を有し、前記取付板部分の中心軸は、前記照明部の中心軸と同軸上に配置され、前記取付板部分の外径は、前記照明部の内径より大きいことを特徴としたものであり、これにより所期の目的を達成するものである。
【発明の効果】
【０００８】
本発明によれば、取付板部分の外径が照明部の内径より大きいという構成にしたことにより、羽根部が第１の方向に回転すると、羽根部から送風される空気が、取付板部分に最初に当たり易くなり、天井面が汚れることを低減できる。
【図面の簡単な説明】
【０００９】
【図１】本発明の実施の形態１の送風装置の正面図
【図２】同送風装置の斜視図
【図３】同送風装置の分解斜視図
【図４】同送風装置の仮止め部の拡大図
【図５】同送風装置の取付部の拡大図
【発明を実施するための形態】
【００１０】
以下、本発明の実施の形態について図面を参照しながら説明する。
【００１１】
（実施の形態１）
図１は、本発明の実施の形態１の送風装置の正面図である。図２は、本発明の実施の形態１の送風装置の斜視図である。図３は、本発明の実施の形態１の送風装置の分解斜視図である。
【００１２】
図１から図３に示すように、送風装置１は、固定カバー２と、取付カバー３と、モータ部４と、羽根部５と、照明部６とを備えている。
【００１３】
固定カバー２は、室内側の天井面１８から室内側に突出した照明用の配線器具に固定可能な構成である。固定カバー２は、下方に開口した略薄皿形状であり、円板形状である固定板部分７と、固定板部分７の周縁から下方に延びる円筒形状の固定フランジ部分８とを有している。
【００１４】
固定板部分７は、中央には略円形状の配線開口９ａを有し、配線開口９ａの周囲には複数の丸孔９ｂを有している。配線開口９ａは、配線器具と、モータ部４および照明部６とを電気的に接続する電気配線が通る通路である。複数の丸孔９ｂは、固定板部分７において配線器具の複数のねじ孔に対向する位置に配置されている。固定カバー２は、固定板部分７の複数の丸孔９ｂを介して配線器具の複数のねじ孔にねじ止めされる複数のねじによって、配線器具に固定される。
【００１５】
固定フランジ部分８は、後述する取付カバー３の取付フランジ部分１１より一回り内径が小さい円筒形状である。固定カバー２に取付カバー３を装着すると、固定カバー２の固定フランジ部分８は、取付カバー３の取付フランジ部分１１の内面に嵌る構成である。
【００１６】
取付カバー３は、固定カバー２に固定可能な構成である。取付カバー３は、上方に開口した略薄皿形状であり、円板形状である取付板部分１０と、取付板部分１０の周縁から上方に延びる円筒形状の取付フランジ部分１１とを有している。
【００１７】
取付フランジ部分１１は、固定カバー２の固定フランジ部分８より一回り内径が大きい円筒形状である。固定カバー２に取付カバー３を装着すると、取付カバー３の取付フランジ部分１１は、固定カバー２の固定フランジ部分８の外面に嵌る構成である。固定カバー２の固定フランジ部分８と、取付カバー３の取付フランジ部分１１には、取付カバー３を固定カバー２に仮り止めする仮止め部１２と、取付カバー３を固定カバー２に固定する取付部１３を有している。
【００１８】
図４は、本発明の実施の形態１の送風装置の仮止め部１２の拡大図である。図４に示すように、仮止め部１２の一例は、取付フランジ部分１１に設けたＬ字形状のスリット１２ａと、固定フランジ部分８に設けたねじ孔１２ｂと、スリット１２ａを介してねじ孔１２ｂにねじ止め可能なねじ１２ｃである。取付カバー３を固定カバー２に固定する場合には、まず、ねじ１２ｃを固定フランジ部分８に設けたねじ孔１２ｂに仮止めし、次に、仮止めされたねじ１２ｃを取付フランジ部分１１に設けたスリット１２ａに通し、取付カバー３を上方へ移動させ、ねじ１２ｃが突き当たった後にスリット１２ａの最奥まで取付カバー３を回すことで固定カバー２と取付カバー３を仮止めする。
【００１９】
図５は、本発明の実施の形態１の送風装置の取付部１３の拡大図である。図５に示すように、取付部１３の一例は、取付フランジ部分１１に設けた孔１３ａと、固定フランジ部分８に設けたねじ孔１３ｂと、孔１３ａを介してねじ孔１３ｂにねじ止め可能なねじ１３ｃである。取付カバー３を固定カバー２に固定する場合には、取付カバー３の取付フランジ部分１１を固定カバー２の固定フランジ部分８の外面に嵌めこみ、仮止め部１２によって、仮止めした後に、ねじ１３ｃを取付フランジ部分１１の孔１３ａを介して、固定フランジ部分８のねじ孔１３ｂにねじ止めする。
【００２０】
図１から図３に示すように、取付板部分１０は、中央には略円形状のモータ開口（図示せず）を有している。モータ部４は、取付板部分１０の上面に固定されている。固定カバー２に取付カバー３を装着すると、モータ部４は、固定カバー２と取付カバー３の間に配置される。モータ部４は、モータ部４の底面から下方に延びた回転軸１４を有している。モータ部４の回転軸１４は、モータ開口（図示せず）を介して、取付板部分１０の下方に延びている。
【００２１】
羽根部５は、モータ部４の回転軸１４に着脱自在な構成である。羽根部５の一例は、軸流ファンであり、モータ部４によって羽根部５を第１の方向に回転（羽根部を下方から見て時計回りに回転）すると、空気が羽根部５の下方から上方へ流れる。また、モータ部４によって羽根部５を逆回転（羽根部を下方から見て反時計回りに回転）すると、空気が羽根部５の上方から下方へ流れる。
【００２２】
照明部６は、円環形状であり、光を照射する構成である。照明部６は、取付カバー３から下方に延びた複数の連結部材１５によって、取付カバー３に吊り下げられている。照明部６は、羽根部５の側方を囲むように配置されている。なお、照明部６の中心軸と、羽根部５の回転軸１４と、取付カバー３の中心軸とは、同軸上に配置されている。
【００２３】
照明部６は、照明支持部分１６と、発光部分（図示せず）と、照明カバー１７とを有する。照明支持部分１６は、円環状の板形状であり、照明支持部分１６の上面には、複数の連結部材１５の下端部が固定され、照明支持部分１６の下面には、発光部分（図示せず）が固定されている。発光部分（図示せず）は、複数の基板（図示せず）と、基板に装着された複数の発光ダイオード（図示せず）を有している。基板が、照明支持部分１６の下面に固定されている。照明カバー１７は、円環状で、発光部分（図示せず）を覆い、照明支持部分１６に固定されている。照明カバー１７は、光に対して透光性および反射性を有する材質である。これにより、発光部分（図示せず）である複数の発光ダイオードから照射された光の一部は、照明カバー１７内で反射を繰り返しながら、その一部の光は、照明カバー１７を介して室内へ照射される。
【００２４】
以上の構成において、モータ部４によって羽根部５を第１の方向に回転（羽根部５を下方から見て反時計回りに回転）させると、室内の空気が羽根部５の下方から、照明部６内を通り上方へ流れ、照明部６と取付カバー３との間から、室内上部に送風される。また、モータ部４によって羽根部５を第２の方向に回転（羽根部５を下方から見て時計回りに回転）させると、室内上部の空気が、照明部６と取付カバー３との間から照明部６内を通り、下方へ流れ、室内下部に送風される。
【００２５】
本実施形態の特徴は、取付板部分１０の中心軸は、照明部６の中心軸と同軸上に配置され、取付板部分１０の外径は、照明部６の内径より大きく、照明部６の外径と実質的に同じ寸法までである。これにより、取付板部分１０の外径は、羽根部５が配置された照明部６の内径より大きいので、羽根部５が第１の方向に回転（羽根部５を下方から見て反時計回りに回転）すると、羽根部５から送風される空気が、取付板部分１０に最初に当たり易くなり、室内側の天井面１８が汚れることを低減できる。
【００２６】
また、仮止め部１２は、固定フランジ部分８と取付フランジ部分１１に設けられ、取付カバー３は固定カバー２に仮止め部１２によって仮止めされる（図４参照）。
【００２７】
具体的には、仮止め部１２は、取付フランジ部分１１に設けた切り欠きであるＬ字形状のスリット１２ａと、固定フランジ部分８に設けたねじ孔１２ｂと、スリット１２ａを介してねじ孔１２ｂにねじ止め可能なねじ１２ｃとを有する。これにより、取付カバー３を固定カバー２に固定する場合には、まず、固定フランジ部分８に設けたねじ孔１２ｂにねじ１２ｃを仮止めし、次に、仮止めされたねじ１２ｃを取付フランジ部分１１に設けたスリット１２ａに通るように取付カバー３の取付フランジ部分１１を固定カバー２の固定フランジ部分８の外面に嵌めこみ、ねじ１２ｃが突き当たった後にスリット１２ａの最奥まで取付カバー３を回すことで固定カバー２と取付カバー３を仮止めする。
【００２８】
仮止め部１２は、作業者が、照明部６の外縁と室内側の天井面１８との間から仮止め部１２を見ながら、取付カバー３の取付フランジ部分１１を固定カバー２の固定フランジ部分８の外面に嵌め、取付カバー３を固定カバー２に仮止めできる位置に配置されている。具体的には、作業者が取付カバー３の取付フランジ部分１１を固定カバー２の固定フランジ部分８の外面に嵌めている状態で、作業者の目の位置が、仮止め部１２から照明部６の外縁へ伸ばした線より上方に位置する場合である。この状態であれば、作業者は、照明部６の外縁と室内側の天井面１８との間から仮止め部１２を見ながら、仮止め作業ができる。これにより、固定カバー２と取付カバー３の仮止めが可能となるため、取付部１３のねじ止めがしやすくなり、施工性が向上する。一方、仮止め部１２が、照明部６の外縁より内方に入り込んだ距離が長すぎると、作業者の頭が室内側の天井面１８に接した状態でも、作業者の目の位置が、仮止め部１２から照明部６の外縁へ伸ばした線より下方に位置する場合がある。この場合には、照明部６と仮止め部１２とが重なり、照明部６の外縁と室内側の天井面１８との間から仮止め部１２が見えない状態となり、仮止め作業が困難になる。
【００２９】
また、固定カバー２は、円板形状である固定板部分７と、固定板部分７の周縁から下方に延びる円筒形状の固定フランジ部分８とを有している。固定フランジ部分８は、取付フランジ部分１１に嵌り、取付カバー３は固定カバー２に取付部１３によって固定される。取付部１３は、固定フランジ部分８と取付フランジ部分１１に配置されている。
【００３０】
具体的には、取付部１３は、取付フランジ部分１１に設けた孔１３ａと、固定フランジ部分８に設けたねじ孔１３ｂと、孔１３ａを介してねじ孔１３ｂにねじ止め可能なねじ１３ｃとを有する（図５参照）。これにより、取付カバー３を固定カバー２に固定する場合には、まず、取付カバー３の取付フランジ部分１１を固定カバー２の固定フランジ部分８の外面に嵌めこみ、次に、ねじ１３ｃを取付フランジ部分１１の孔１３ａを介して、固定フランジ部分８のねじ孔１３ｂにねじ止めする。このネジ止め作業は、室内側の天井面１８と照明部室内側の天井面１８との間にねじを回す工具を入れ、固定フランジ部分８のねじ孔１３ｂにねじ止めする。照明部６の外径から固定フランジ部分８までの距離は、照明部６の外径から照明部６の内径までの距離より小さいので、照明部６の外径から固定フランジ部分８までの距離は短く、ネジ止め作業が容易になる。
【００３１】
また、取付カバー３は、取付カバー３の周縁から下方に延びた複数の連結部材１５を有している。これらの複数の連結部材１５は、照明部６の外周縁に接続される。これにより、複数の連結部材１５と羽根部５との距離が長くなり、風切り音を抑制できる。また、取付カバー３と照明部６が一体となり施工手順を少なくすることができる。
【００３２】
また、複数の連結部材１５は、取付カバー３の周縁から鉛直方向に延びる。これにより、照明部６と室内側の天井面１８との水平を保ちやすくなるため、見栄えが良くなる。また、連結部材の加工が容易となる。
【産業上の利用可能性】
【００３３】
本発明は、室内の天井面に設置して空気循環を行う送風装置として適している。
【符号の説明】
【００３４】
１    送風装置
２    固定カバー
３    取付カバー
４    モータ部
５    羽根部
６    照明部
７    固定板部分
８    固定フランジ部分
９ａ    配線開口
９ｂ    丸孔
１０    取付板部分
１１    取付フランジ部分
１２    仮止め部
１２ａ    スリット
１２ｂ    ねじ孔
１２ｃ    ねじ
１３    取付部
１３ａ    孔
１３ｂ    ねじ孔
１３ｃ    ねじ
１４    回転軸
１５    連結部材
１６    照明支持部分
１７    照明カバー
１８    室内側の天井面
【図１】
2020105953.tif 000003
【図２】
2020105953.tif 000004
【図３】
2020105953.tif 000005
【図４】
2020105953.tif 000006
【図５】
2020105953.tif 000007